(57)【要約】【課題】  取り外しが容易で、かつ繰り返し使用可能な固定用クリップを提供する。【解決手段】  取付部材Ｔを支持部材Ｓに取り付けるための固定用クリップであって、雌部材１と雄部材２とからなり、雌部材１は、雌ねじ３を備え、雄部材２は、頭部フランジ４と、頭部フランジ４から直交するように延びる軸部５と、軸部５の外周面に外方に突出するように形成された複数のリブ６とを備えている。リブ６は、軸部５の軸線に対して対象の位置に２列配置されている。各列のリブ６は、軸部５の軸腺方向に雌部材１の雌ねじ３のねじピッチと同じ間隔で配置されている。また、一方に列のリブ６は、他方の列のリブ６に対し、雌部材１の雌ねじ３のねじピッチの１／２ずつ、軸部５の軸線方向に順次ずれて配置されている。【選択図】      図１
2006064022.tif 000002
【特許請求の範囲】
【請求項１】
取付部材（Ｔ）を支持部材（Ｓ）に取り付けるための固定用クリップであって、
雌部材（１）と雄部材（２）とからなり、
前記雌部材（１）は、雌ねじ（３）を備え、
前記雄部材（２）は、頭部フランジ（４）と、この頭部フランジ（４）から直交するように延びる軸部（５）と、この軸部（５）の外周面に外方に突出するように形成された複数のリブ（６）とを備え、
前記複数のリブ（６）は、前記軸部（５）の軸線に平行にかつ該軸腺の周方向に等間隔に少なくとも２列配置され、かつ、各列のリブ（６）は、前記軸部（５）の軸腺方向に前記雌部材（１）の前記雌ねじ（３）のねじピッチと同じ間隔で配置されているとともに、各列のリブ（６）は、隣接する列のリブ（６）に対し、前記雌部材（１）の前記雌ねじ（３）のねじピッチをリブ（６）の列数で割った値ずつ、前記軸部（５）の軸線方向にずれて配置されている、
ことを特徴とする固定用クリップ。
【請求項２】
前記複数のリブ（６）は、２列配置されていることを特徴とする請求項１に記載の固定用クリップ。
【請求項３】
前記雌部材（１）の前記頭部フランジ（４）には、ねじ回し用の係合溝（７）が設けられていることを特徴とする請求項１または請求項２に記載の固定用クリップ。
【発明の詳細な説明】
【技術分野】
【０００１】
本発明は、取付部材を支持部材に取り付けるための固定用クリップに関する。
【背景技術】
【０００２】
このような固定用クリップとしては、従来、例えば、雄部材と雌部材とからなり、雄部材は、頭部フランジと、軸部と、この軸部の外周面に該軸部の軸腺方向に間隔をおいて外方に突出するように形成された複数のリブとを備え、前記雌部材は、有底筒状の本体部と、この本体部の内壁面に前記リブが係合しうるように刻設された螺溝とを備えているものが知られている（例えば、特許文献１参照）。
そして、このクリップにおいては、支持部材に雌部材を嵌入して固定した後、雄部材の軸部を取付部材の取付孔を介して雌部材の中空部に圧入し、雄部材の各リブを雌部材の対応位置の螺溝に食い込ませることにより、取付部材を支持部材に取り付ける。
【０００３】
また、固定用クリップとして、ヘッド部とボディ部とからなり、ボディ部は、ボディコアから放射状に突出した多数の薄葉（リブ）からなる薄葉群を有し、この薄葉群はボディコアの周囲で軸に平行に分割され、各分割されたグループの互いに隣接する薄葉は、軸方向で互いにジグザグ状に配設されているものが知られている（例えば、特許文献２参照）。
そして、このクリップ（留め具）においては、取付部材にヘッド部を係合して装着した後、ボディ部を支持部材の取付孔に差し込むと、薄葉が取付孔の部分では曲げられる一方、取付孔の下側および上側では、薄葉が直角方向に突出し、その外縁によって取付孔の縁と噛み合うことにより、取付部材を支持部材に取り付ける。
【０００４】
【特許文献１】実公平１−３７２０５号公報
【特許文献２】実開昭５９−６６１２号公報
【発明の開示】
【発明が解決しようとする課題】
【０００５】
しかしながら、前者の固定用クリップにあっては、クリップを取り外すときに、雄部材を回転させるが、雄部材の各リブは雌部材の対応位置の螺溝に食い込ませることにより係合を保つものであり、リブが雄ねじの機能を持つものでないので、取り外し時にリブが雌ねじのねじ山を乗り越えて変形し、取り外しが容易でないとともに、再使用するときに、固定強度が低下するという問題がある。特に、繰り返し使用する場合には固定強度の低下が大きくなり、使用できないという問題がある。
【０００６】
一方、後者の固定用クリップにあっては、薄葉（リブ）を雌ねじに螺合させる構造ではなく、薄葉を取付孔の部分で曲げる構造であり、したがってクリップとしての固定方法が異なるものである。また、このクリップでは、クリップを取り外すときも、回転させるのではなく、抜き取る。
【０００７】
本発明は、前記事情に鑑みて為されたもので、取り外しが容易で、かつ繰り返し使用可能な固定用クリップを提供することを目的とする。
【課題を解決するための手段】
【０００８】
前記目的を達成するために、請求項１に記載の固定用クリップは、取付部材（Ｔ）を支持部材（Ｓ）に取り付けるための固定用クリップであって、
雌部材（１）と雄部材（２）とからなり、
前記雌部材（１）は、雌ねじ（３）を備え、
前記雄部材（２）は、頭部フランジ（４）と、この頭部フランジ（４）から直交するように延びる軸部（５）と、この軸部（５）の外周面に外方に突出するように形成された複数のリブ（６）とを備え、
前記複数のリブ（６）は、前記軸部（５）の軸線に平行にかつ該軸腺の周方向に等間隔に少なくとも２列配置され、かつ、各列のリブ（６）は、前記軸部（５）の軸腺方向に前記雌部材（１）の前記雌ねじ（３）のねじピッチと同じ間隔で配置されているとともに、各列のリブ（６）は、隣接する列のリブ（６）に対し、前記雌部材（１）の前記雌ねじ（３）のねじピッチをリブ（６）の列数で割った値ずつ、前記軸部（５）の軸線方向にずれて配置されている、
ことを特徴とする。
【０００９】
請求項１に記載の発明においては、雄部材のリブが雌部材の雌ねじのねじ溝に沿うように配置されているので、雄部材のリブが雄ねじのように機能するため、クリップを取り外す時に、クリップを回転させると、リブが雌部材の雌ねじのねじ溝に沿って移動し雌部材から円滑に抜け出すため、容易に取り外すことができる。また、取り外し時にリブが殆ど変形しないので、取り外しを繰り返しても必要な固定強度を維持することができるため、繰り返して使用することができる。さらに、雄部材のリブが雌部材の雌ねじにずれることなく係合するので、固定強度が大きい。さらには、雄部材のリブの列が軸部の軸線の周方向に等間隔に配置されるので、リブが雌部材の雌ねじに軸部の軸腺の周方向でほぼ均等に係合し、固定力を周方向で均衡させることができる。
【００１０】
請求項２に記載の固定用クリップは、請求項１に記載の発明において、前記複数のリブ（６）は、２列配置されていることを特徴とする。
【００１１】
請求項２に記載の発明においては、リブの列数を必要最小限にしたので、雄部材の製造が容易である。
【００１２】
請求項３に記載の固定用クリップは、請求項１または請求項２に記載の発明において、前記雌部材（１）の前記頭部フランジ（４）には、ねじ回し用の係合溝（７）が設けられていることを特徴とする。
【００１３】
請求項３に記載の発明においては、頭部フランジにねじ回し用の係合溝が設けられているので、ドライバー等のねじ回し具を用いて、クリップを容易に取り外すことができる。
【００１４】
なお、上記における括弧内の符号は、図面において対応する要素を便宜的に表記したものであり、したがって本発明は図面上の記載に限定されるものではない。これは、「特許請求の範囲」の記載についても同様である。
【発明の効果】
【００１５】
本発明の固定用クリップによれば、取り外しが容易であるとともに、繰り返し使用が可能である。
【発明を実施するための最良の形態】
【００１６】
以下、本発明の実施の形態を図面を参照して説明する。
図１乃至図６は、本発明の実施の形態に係る固定用クリップを示す図であって、使用状態を示す縦断面図であり、図２は雄部材の斜視図であり、図３は雄部材の平面図であり、図４は図３のＡ矢視図（一部を切り欠いて示す）であり、図５は図３のＢ矢視図であり、図６は図４のＣ矢視図である。
【００１７】
本実施の形態に係る固定用クリップは、雌部材１と雄部材２とからなる。雌部材１は、合成樹脂からなる支持部材Ｓに、支持部材Ｓの成形時に該支持部材Ｓに固定（埋設）されたモールドナットであり、その中心部には雌ねじ３が形成されている。
【００１８】
雄部材２は、合成樹脂からなり、頭部フランジ４と軸部５と複数のリブ６とが一体的に形成されたものである。頭部フランジ４は、縦断面形状が弓形に形成されており、その表面には直線状の溝（すりわり）からなるねじ回し用の係合溝７が形成されている。軸部５は、頭部フランジ４の裏面の中央部から直交するように延びており、その先端は球面状に形成されている。リブ６は、概略扇形の板状に形成されている。このリブ６は、軸部５の外周面に外方に突出するように形成されている。リブ６は、先端に向かうにつれて漸次頭部フランジ４に近づくように少し傾斜している。リブ６は、軸部５の軸線に対して対象の位置に２列配置されている。各列のリブ６は、軸部５の軸腺方向に雌部材１の雌ねじ３のねじピッチと同じ間隔で配置されている。また、一方に列のリブ６は、他方の列のリブ６に対し、雌部材１の雌ねじ３のねじピッチをリブ６の列数の２で割った値ずつ、すなわち雌部材１の雌ねじ３のねじピッチの１／２ずつ、軸部５の軸線方向に順次ずれて配置されている。
【００１９】
この固定用クリップを用いて、背当て等の取付部材を背負枠等の支持部材に取り付けるには、図１に示すように、雄部材２の軸部５を取付部材Ｔの取付孔Ｋを介して雌部材１の雌ねじ３内に押し込む。これにより、雄部材２の各リブ６が弾性変形し、その先端部が雌部材１の対応位置の雌ねじに係合される。
【００２０】
一方、固定用クリップを取り外すには、雄部材２の頭部フランジ４の係合溝７に、ドライバー等のねじ回し具を入れて、雄部材２を回転させる。これにより、雄部材２のリブ６が雌部材１の雌ねじ３のねじ溝に沿って移動し、雌ねじ３からリブ６が抜け出る。
【００２１】
このように構成された固定用クリップにあっては、雄部材２のリブ６が雌部材１の雌ねじ３のねじ溝に沿うように配置されているので、雄部材２のリブ６が雄ねじのように機能する。したがって、クリップを取り外す時に、クリップを回転させると、リブ６が雌ねじ３のねじ溝に沿って移動し雌部材１から円滑に抜け出すため、取り外しが容易である。
また、取り外し時にリブ６が殆ど変形しないので、取り外しを繰り返しても必要な固定強度を維持することができるため、繰り返して使用することができる。
【００２２】
さらに、雄部材２のリブ６が雌部材１の雌ねじ３にずれることなく係合するので、固定強度が大きい。
さらには、リブ６が軸部５の軸線に対して対象の位置に２列配置されているので、リブ６が雌部材１の雌ねじ３に軸部５の周方向でほぼ均等に係合するため、固定力を周方向で均衡させることができる。
【００２３】
また、リブの列数を必要最小限の２列にしたので、雄部材２の製造が容易である。
また、頭部フランジ４にねじ回し用の係合溝７が設けられているので、ドライバー等のねじ回し具を用いて、クリップを容易に取り外すことができる。
【００２４】
なお、上述の実施の形態では、雄部材２のリブ６を軸部５の軸線に対し対称に２列配置したが、２列に限定する必要はなく、３列その他の複数の列を軸部の軸線に平行にかつ該軸腺の周方向に等間隔に配置するようにしてもよい。この場合、各列のリブは、隣接する列のリブに対し、雌部材の雌ねじのねじピッチをリブの列数で割った値ずつ、軸部の軸線方向に順次ずれて配置する。換言すると、雄部材の各列のリブを雌部材の雌ねじのねじ溝に沿うように配置する。例えば、リブを３列設ける場合には、各列のリブを、隣接する列のリブに対し、雌部材の雌ねじのねじピッチの１／３ずつ、軸部の軸線方向に順次ずれて配置する。
【図面の簡単な説明】
【００２５】
【図１】本発明の実施の形態に係る固定用クリップを示す図であって、使用状態を示す縦断面図である。
【図２】雄部材の斜視図である。
【図３】雄部材の平面図である。
【図４】図３のＡ矢視図（一部を切り欠いて示す）である。
【図５】図３のＢ矢視図である、
【図６】図４のＣ矢視図である。
【符号の説明】
【００２６】
Ｔ    取付部材
Ｓ    支持部材
１    雌部材
２    雄部材
３    雌ねじ
４    頭部フランジ
５    軸部
６    リブ
７    係合溝
【図１】
2006064022.tif 000003
【図２】
2006064022.tif 000004
【図３】
2006064022.tif 000005
【図４】
2006064022.tif 000006
【図５】
2006064022.tif 000007
【図６】
2006064022.tif 000008